(57)【要約】【課題】画像の明るさの低下及び画質の低下を抑制できるプロジェクターを提供する。【解決手段】プロジェクターは、複数の発光器、及び複数の発光器に対応して配置される複数のオプティカルインテグレータを含み、光を射出する照射装置と、画像データが線順次に書き込まれ、照射装置からの光が照射される光変調素子と、光変調素子で変調された光を投射する投射光学系と、を備える。照射装置は、光変調素子に書き込まれる画像データに応じて、光変調素子に対する光の照射領域を変更する。【選択図】図２
2012247525.tif 000002
【特許請求の範囲】
【請求項１】
複数の発光器、及び複数の前記発光器に対応して配置される複数のオプティカルインテグレータを含み、光を射出する照射装置と、
画像データが線順次に書き込まれ、前記照射装置からの光が照射される光変調素子と、
前記光変調素子で変調された光を投射する投射光学系と、を備え、
前記照射装置は、前記光変調素子に書き込まれる前記画像データに応じて、前記光変調素子に対する光の照射領域を変更するプロジェクター。
【請求項２】
前記光変調素子に右眼用の第１画像データと左眼用の第２画像データとが線順次に交互に書き込まれ、
前記照射装置は、前記光変調素子に書き込まれる前記第１、第２画像データに応じて、前記照射領域を変更する請求項１に記載のプロジェクター。
【請求項３】
前記照射装置は、第１照射領域に光を照射するための第１発光器及び前記第１発光器に対応して配置される第１ロッドインテグレータと、第２照射領域に光を照射するための第２発光器及び前記第２発光器に対応して配置される第２ロッドインテグレータとを含み、前記第１、第２発光器の作動及び停止を実行して、前記第１照射領域に対する光の照射と前記第２照射領域に対する光の照射とを切り替える請求項１又は２に記載のプロジェクター。
【請求項４】
前記第１、第２ロッドインテグレータのそれぞれは、前記第１、第２発光器からの光が入射する入射面と、光を射出する射出面と、前記入射面と前記射出面とを結ぶ側面とを有し、
前記第１、第２ロッドインテグレータの前記射出面同士が接触し、前記側面同士及び入射面同士が離れている請求項３に記載のプロジェクター。
【発明の詳細な説明】
【技術分野】
【０００１】
本発明は、プロジェクターに関する。
【背景技術】
【０００２】
プロジェクターを用いて画像を立体的に表示する技術が案出されている。この技術は、観察者の右眼と左眼との視点分だけずれた２つの画像（所謂、視差画像）を右眼及び左眼のそれぞれで選択的に見せることで、その観察者に画像を立体的に視認させる技術である。
【０００３】
画像を立体的に表示させる技術の一つとして、右眼用画像と左眼用画像とをフレーム期間毎に時分割で交互に表示して、観察者に画像を立体的に視認させる装置が案出されている（例えば特許文献１）。その装置を使用する場合、観察者は、右眼用の部分と左眼用の部分とを交互に開閉するシャッター眼鏡を着用する。シャッター眼鏡の右眼用の部分の開閉及び左眼用の部分の開閉の切り換えは、右眼用画像及び左眼用画像の表示の切り換えと同期して実行される。これにより、観察者は、右眼用画像を右眼で、左眼用画像を左眼でそれぞれ選択的に視認し、画像を立体的に視認する。
【先行技術文献】
【特許文献】
【０００４】
【特許文献１】特開２００９−２３２２４９号公報
【発明の概要】
【発明が解決しようとする課題】
【０００５】
特許文献１の装置は、液晶パネル（光変調素子）を有する。一般に、液晶パネルは、線順次に駆動する線順次駆動方式を採用する。そのため、（Ａ）右眼用画像が書き込まれたフレーム、（Ｂ）右眼用画像から左眼用画像に書き換えている途中のフレーム、（Ｃ）左眼用画像が書き込まれたフレーム、（Ｄ）左眼用画像から右眼用画像に書き換えている途中のフレーム、…がこの順に繰り返し現れる。すなわち、画像の表示において書き換えの過渡期間となるフレーム（Ｂ）、（Ｄ）が存在することとなる。換言すれば、一つの液晶パネルにおいて右眼用画像と左眼用画像とが混在することとなる。
【０００６】
プロジェクターは、照射装置から射出される光で液晶パネルを照明し、液晶パネルが形成する画像を投射光学系で拡大してスクリーンに投影する。過渡期間のフレーム（Ｂ）、（Ｄ）の状態で液晶パネルの全域に光を照射した場合、光を照射すべきでない領域にも光が照射されることとなる。その結果、右眼用画像が左眼に映り込み、左眼用画像が右眼に映り込む現象、所謂、クロストーク現象が発生する可能性がある。
【０００７】
従来、クロストーク現象の発生の抑制のために、過渡期間のフレーム（Ｂ）、（Ｄ）の状態では、シャッター眼鏡の右眼用の部分及び左眼用の部分の両方を閉じていた。その場合、例えば液晶パネルの全域に光を照射してその液晶パネルから射出される光の単位時間内の全光量を１００％としたとき、右眼用画像の表示及び左眼用画像の表示に寄与する光の光量は、それぞれ２５％となる。その場合、視認される画像が暗くなってしまう等、画像の質（画質）が低下してしまうという問題があった。
【０００８】
また、プロジェクターにおいては、画質の低下の抑制のために、液晶パネルを均一な照度分布で照明することが必要である。しかし、プロジェクターが有する液晶パネルは小型（例えばスクリーンよりも小さい）であり、そのような液晶パネルを均一な照度分布で照明することは困難である。
【０００９】
本発明の態様は、画像の明るさの低下及び画質の低下を抑制できるプロジェクターを提供することを目的とする。
【課題を解決するための手段】
【００１０】
本発明の一態様に従えば、複数の発光器、及び複数の前記発光器に対応して配置される複数のオプティカルインテグレータを含み、光を射出する照射装置と、画像データが線順次に書き込まれ、前記照射装置からの光が照射される光変調素子と、前記光変調素子で変調された光を投射する投射光学系と、を備え、前記照射装置は、前記光変調素子に書き込まれる前記画像データに応じて、前記光変調素子に対する光の照射領域を変更するプロジェクターが提供される。
【００１１】
本発明の一態様によれば、線順次に画像データが書き込まれる光変調素子に対して、その書き込まれる画像データに応じて光の照射領域を変更するようにしたので、画像の明るさの低下及び画質の低下を抑制できる。
すなわち、本発明の一態様によれば、書き込まれる画像データに応じて光変調素子に対する光の照射領域を変更する方式（所謂、領域照明方式）を採用し、光変調素子のうち、光を照射すべき領域にのみ光を照射し、光を照射すべきでない領域には光を照射しないようにする。これにより、画像の明るさの低下を抑制し、良好なエネルギー利用効率で所望の画質を得ることができる。
また、本発明の一態様によれば、オプティカルインテグレータを用いて光変調素子を重畳照明するため、均一な照度分布で光変調素子を照明することができる。したがって、画質の低下を抑制できる。
【００１２】
前記光変調素子に右眼用の第１画像データと左眼用の第２画像データとが線順次に交互に書き込まれ、前記照射装置は、前記光変調素子に書き込まれる前記第１、第２画像データに応じて、前記照射領域を変更する構成でもよい。
これにより、線順次に駆動される光変調素子を用いて画像を立体的に表示する場合、クロストーク現象の発生、及び画像の明るさの低下を抑制しつつ、画像を立体的に表示することができる。すなわち、領域照明方式を採用することによって、照明時間を増加させることが可能になり、クロストーク現象の発生を抑制しつつ、エネルギー利用効率の向上及び画像の明るさの向上の両方を実現できる。
【００１３】
前記照射装置は、第１照射領域に光を照射するための第１発光器及び前記第１発光器に対応して配置される第１ロッドインテグレータと、第２照射領域に光を照射するための第２発光器及び前記第２発光器に対応して配置される第２ロッドインテグレータとを含み、前記第１、第２発光器の作動及び停止を実行して、前記第１照射領域に対する光の照射と前記第２照射領域に対する光の照射とを切り替える構成でもよい。
これにより、発光器の作動及び停止を実行するだけで、領域照明を円滑に実行することができる。
【００１４】
前記第１、第２ロッドインテグレータのそれぞれは、前記第１、第２発光器からの光が入射する入射面と、光を射出する射出面と、前記入射面と前記射出面とを結ぶ側面とを有し、  前記第１、第２ロッドインテグレータの前記射出面同士が接触し、前記側面同士及び入射面同士が離れている構成でもよい。
これにより、例えば第１ロッドインテグレータの入射面に入射した光の少なくとも一部が、第２ロッドインテグレータに入射してしまうことを抑制することができる。すなわち、第１ロッドインテグレータを通過すべき光と第２ロッドインテグレータを通過すべき光とが混ざってしまうことを抑制することができる。したがって、画質の低下が抑制される。
【図面の簡単な説明】
【００１５】
【図１】第１実施形態に係るプロジェクターの一例を示す図である。
【図２】第１実施形態に係る液晶パネルの動作の一例を説明するための図である。
【図３】第１実施形態に係る照射装置の一例を説明するための図である。
【図４】第１実施形態に係る照射装置の一例を説明するための図である。
【図５】第１実施形態に係る照射装置の一例を説明するための図である。
【図６】第１実施形態に係る液晶パネルに書き込まれる画像データと照射領域との関係を説明するための図である。
【図７】第１実施形態に係る液晶パネルに書き込まれる画像データと照射領域との関係を説明するための図である。
【図８】第１実施形態に係る液晶パネルに書き込まれる画像データと照射領域との関係を説明するための図である。
【図９】第１実施形態に係る液晶パネルに書き込まれる画像データと照射領域との関係を説明するための図である。
【図１０】第１実施形態に係る液晶パネルに書き込まれる画像データと照射領域との関係を説明するための図である。
【図１１】第１実施形態に係る液晶パネルに書き込まれる画像データと照射領域との関係を説明するための図である。
【図１２】第２実施形態に係るプロジェクターの一例を示す図である。
【図１３】ロッドインテグレータの一例を示す図である。
【発明を実施するための形態】
【００１６】
以下、本発明の実施形態について図面を参照しながら説明する。
【００１７】
＜第１実施形態＞
第１実施形態について説明する。図１は、第１実施形態に係るプロジェクターＰＪ１の一例を示す図である。図１（Ａ）は、プロジェクターＰＪ１の上面図、図１（Ｂ）は、側面図である。
【００１８】
図１において、プロジェクターＰＪ１は、複数の発光器１、２、３、及び複数の発光器１、２、３に対応して配置される複数のオプティカルインテグレータ１１、１２、１３を含み、光を射出する照射装置４と、画像データが線順次に書き込まれ、照射装置４からの光が照射される光変調素子５と、光変調素子５で変調された光を投射する投射光学系６とを備えている。
【００１９】
本実施形態において、光変調素子５は、第１の光変調素子５Ｒと、第２の光変調素子５Ｇと、第３の光変調素子５Ｂとを含む。本実施形態において、光変調素子５（５Ｒ、５Ｇ、５Ｂ）は、線順次に駆動する液晶パネルである。光変調素子５（５Ｒ、５Ｇ、５Ｂ）には、線順次に画像データが書き込まれる。以下の説明において、光変調素子５（５Ｒ、５Ｇ、５Ｂ）を適宜、液晶パネル５（５Ｒ、５Ｇ、５Ｂ）、と称する。
【００２０】
発光器１、２、３は、固体光源を含む。発光器１は、複数のレーザー装置１Ｒ、１Ｇ、１Ｂを含む。すなわち、発光器１は、複数のレーザー装置１Ｒ、１Ｇ、１Ｂを含むレーザー群である。同様に、発光器２は、複数のレーザー装置２Ｒ、２Ｇ、２Ｂを含む。発光器３は、複数のレーザー装置３Ｒ、３Ｇ、３Ｂを含む。
【００２１】
レーザー装置１Ｒ、２Ｒ、３Ｒは、赤色光Ｒｅを射出する。レーザー装置１Ｇ、２Ｇ、３Ｇは、緑色光Ｇｒを射出する。レーザー装置１Ｂ、２Ｂ、３Ｂは、青色光Ｂｕを射出する。
【００２２】
本実施形態において、オプティカルインテグレータ１１、１２、１３は、ロッドインテグレータである。以下の説明において、オプティカルインテグレータ１１、１２、１３のそれぞれを適宜、ロッドインテグレータ１１、１２、１３、と称する。
【００２３】
ロッドインテグレータ１１は、発光器１に対応する。ロッドインテグレータ１１は、発光器１（レーザー装置１Ｒ、１Ｇ、１Ｂ）からの光が入射する入射面１１Ａと、光を射出する射出面１１Ｂと、入射面１１Ａと射出面１１Ｂとを結ぶ側面１１Ｃとを有する。本実施形態においては、照射装置４は、発光器１とロッドインテグレータ１１との間に配置される集光レンズ２１を有する。発光器１から射出された光は、集光レンズ２１を介して、ロッドインテグレータ１１の入射面１１Ａに入射する。
【００２４】
ロッドインテグレータ１２は、発光器２に対応する。ロッドインテグレータ１２は、発光器２（レーザー装置２Ｒ、２Ｇ、２Ｂ）からの光が入射する入射面１２Ａと、光を射出する射出面１２Ｂと、入射面１２Ａと射出面１２Ｂとを結ぶ側面１２Ｃとを有する。本実施形態においては、照射装置４は、発光器２とロッドインテグレータ１２との間に配置される集光レンズ２２を有する。発光器２から射出された光は、集光レンズ２２を介して、ロッドインテグレータ１２の入射面１２Ａに入射する。
【００２５】
ロッドインテグレータ１３は、発光器３に対応する。ロッドインテグレータ１３は、発光器３（レーザー装置３Ｒ、３Ｇ、３Ｂ）からの光が入射する入射面１３Ａと、光を射出する射出面１３Ｂと、入射面１３Ａと射出面１３Ｂとを結ぶ側面１３Ｃとを有する。本実施形態においては、照射装置４は、発光器３とロッドインテグレータ１３との間に配置される集光レンズ２３を有する。発光器３から射出された光は、集光レンズ２３を介して、ロッドインテグレータ１３の入射面１３Ａに入射する。
【００２６】
また、照射装置４は、射出面１１Ｂ、１２Ｂ、１３Ｂから射出された光が入射するレンズ７と、複数のミラー８、９、１０、１４、１５とを有する。射出面１１Ｂ、１２Ｂ、１３Ｂから射出され、レンズ７を通過した光は、ミラー８に入射する。
【００２７】
ミラー８は、分離光学素子である。ミラー８は、入射した一部の光をミラー９に導き、一部の光をミラー１４に導く。本実施形態において、ミラー８は、発光器１、２、３からの赤色光Ｒｅ及び緑色光Ｇｒを透過してミラー９に導き、青色光Ｂｕを反射してミラー１４に導く。
【００２８】
ミラー９は、分離光学素子である。ミラー９は、入射した一部の光を液晶パネル５Ｇに導き、一部の光をミラー１０に導く。本実施形態において、ミラー９は、例えばミラー８からの赤色光Ｒｅを透過してミラー１０に導き、緑色光Ｇｒを反射して液晶パネル５Ｇに導く。
【００２９】
ミラー１０は、反射光学素子である。ミラー１０は、ミラー９からの光をミラー１５に導く。本実施形態において、ミラー１０は、ミラー９からの赤色光Ｒｅを反射してミラー１５に導く。
【００３０】
ミラー１４は、反射光学素子である。ミラー１４は、ミラー８からの光を液晶パネル５Ｂに導く。本実施形態において、ミラー１４は、ミラー８からの青色光Ｂｕを反射して液晶パネル５Ｂに導く。
【００３１】
ミラー１５は、反射光学素子である。ミラー１５は、ミラー１０からの光を液晶パネル５Ｒに導く。本実施形態において、ミラー１５は、ミラー１０からの赤色光Ｒｅを反射して液晶パネル５Ｒに導く。
【００３２】
本実施形態において、ミラー１０とミラー１５との間にリレー光学系１６が配置されている。リレー光学系１６は、青色光Ｂｕ及び緑色光Ｇｒの光路に比べて赤色光Ｒｅの光路が長いため、ミラー９の射出側に一旦結像した赤色光Ｒｅの像からの光を集光して液晶パネル５Ｒ上に再び結像させて、赤色光Ｒｅの照明領域の明るさの低下を防止している。ミラー１０からの光は、リレー光学系１６を介して、ミラー１５に導かれる。ミラー１５は、リレー光学系１６からの光を液晶パネル５Ｒに導く。
【００３３】
このように、本実施形態においては、液晶パネル５Ｒ、５Ｇ、５Ｂのそれぞれに、照射装置４からの光が照射される。液晶パネル５Ｒ、５Ｇ、５Ｂに照射された光は、その液晶パネル５Ｒ、５Ｇ、５Ｂによって変調され、色合成光学系１７に入射する。色合成光学系１７は、クロスダイクロイックプリズムを含み、液晶パネル５Ｒ、５Ｇ、５Ｂのそれぞれで変調された光を合成する。投射光学系６は、色合成光学系１７で合成された光を拡大してスクリーンに投射する。
【００３４】
次に、本実施形態に係るプロジェクターＰＪ１の動作の一例について説明する。本実施形態において、プロジェクターＰＪ１は、画像を立体的に表示する。液晶パネル５には、右眼用の画像データと左眼用の画像データとが線順次に交互に書き込まれる。すなわち、液晶パネル５には、（Ａ）右眼用の画像データが書き込まれたフレーム、（Ｂ）右眼用の画像データから左眼用の画像データに書き換えている途中のフレーム、（Ｃ）左眼用の画像データが書き込まれたフレーム、（Ｄ）左眼用の画像データから右眼用の画像データに書き換えている途中のフレーム、…がこの順に繰り返し現れる。
【００３５】
以下の説明において、右眼用の画像（画像データ）を適宜、Ｒ画像、と称し、左眼用の画像（画像データ）を適宜、Ｌ画像、と称する。
【００３６】
図２は、本実施形態に係る液晶パネル５の動作の一例を示す図である。本実施形態においては、液晶パネル５には、Ｌ画像１−１が書き込まれたフレーム、Ｌ画像１−２が書き込まれたフレーム、Ｒ画像１−１が書き込まれたフレーム、Ｒ画像１−２が書き込まれたフレーム、Ｌ画像２−１が書き込まれたフレーム、Ｌ画像２−２が書き込まれたフレーム、Ｒ画像２−１が書き込まれたフレーム、Ｒ画像２−２が書き込まれたフレーム…がこの順に現われる。
【００３７】
本実施形態において、液晶パネル５は、２４０Ｈｚの周波数で駆動する。すなわち、１つの画像データ（例えばＬ画像１−１）の書き込みが開始（走査が開始）されてから書き込みが終了（走査が終了）するまでの時間は、約４．２〔ｍｓｅｃ．〕である。
【００３８】
本実施形態において、Ｌ画像１−１とＬ画像１−２とは、同一の画像データである。Ｒ画像１−１とＲ画像１−２とは、同一の画像データである。Ｌ画像２−１とＬ画像２−２とは、同一の画像データである。Ｒ画像２−１とＲ画像２−２とは、同一の画像データである。つまり、本実施形態においては、液晶パネル５に対する同一の画像データの書き込み動作が２回ずつ連続して実行される。なお、図２においては、図面を分かりやすくするために、Ｌ画像１−１を示す模様（ハッチング）とＬ画像１−２を示す模様（ハッチング）とを異ならせている。同様に、Ｒ画像１−１を示す模様とＲ画像１−２を示す模様とを異ならせている。Ｌ画像２−１を示す模様とＬ画像２−２を示す模様とを異ならせている。Ｒ画像２−１を示す模様とＲ画像２−２を示す模様とを異ならせている。
【００３９】
すなわち、本実施形態においては、液晶パネル５には、（１）Ｌ画像１−１が書き込まれたフレーム、（２）Ｌ画像１−１からＬ画像１−２に書き換えている途中のフレーム、（３）Ｌ画像１−２が書き込まれたフレーム、（４）Ｌ画像１−２からＲ画像１−１に書き換えている途中のフレーム、（５）Ｒ画像１−１が書き込まれたフレーム、（６）Ｒ画像１−１からＲ画像１−２に書き換えている途中のフレーム、（７）Ｒ画像１−２が書き込まれたフレーム、（８）Ｒ画像１−２からＬ画像２−１に書き換えている途中のフレーム、（９）Ｌ画像２−１が書き込まれたフレーム、（１０）Ｌ画像２−１からＬ画像２−２に書き換えている途中のフレーム、（１１）Ｌ画像２−２が書き込まれたフレーム、（１２）Ｌ画像２−２からＲ画像２−１に書き換えている途中のフレーム、（１３）Ｒ画像２−１が書き込まれたフレーム、（１４）Ｒ画像２−１からＲ画像２−２に書き換えている途中のフレーム、（１５）Ｒ画像２−２が書き込まれたフレーム、…がこの順に繰り返し現れる。
【００４０】
液晶パネル５は、複数の走査線を有する。それら複数の走査線を線順次に走査する。本実施形態において、走査線とは、その走査線に対応して配置される画素を含む概念とする。
【００４１】
以下の説明においては、説明を簡単にするため、走査線（走査線に対応して配置される画素）が１２本設けられている場合を例にして説明するが、実際には、数百本又はそれ以上ある。例えば、ＳＸＧＡ形式（画素数１２８０×１０２４）の画像を表示可能な液晶パネルの場合、１０２４本の走査線が設けられる。
【００４２】
以下の説明において、１２本の走査線のそれぞれを適宜、走査線Ｌ１〜Ｌ１２、と称する。また、以下の説明において、複数の走査線Ｌ１〜Ｌ１２が配置される方向（走査線と直交する方向）を適宜、走査方向、と称する。なお、走査方向は、線順次駆動方向とも呼ばれる。
【００４３】
図３は、本実施形態に係る照射装置４の動作の一例を示す模式図である。照射装置４は、液晶パネル５に対する光の照射領域を変更することができる。
【００４４】
本実施形態において、照射装置４は、照射領域Ａ１に対する光の照射と、照射領域Ａ２に対する光の照射と、照射領域Ａ３に対する光の照射とを切り替えることができる。本実施形態において、複数の照射領域Ａ１、Ａ２、Ａ３は、走査方向に配置される。
【００４５】
図３は、走査方向に関して、複数の照射領域Ａ１、Ａ２、Ａ３のうち、照射領域Ａ１が、図３中、最も上側（走査開始側）に配置され、照射領域Ａ３が、最も下側（走査終了側）に配置され、照射領域Ａ２が、照射領域Ａ１と照射領域Ａ３との間に配置される例を示す。また、図３は、走査方向に関して、複数の発光器１、２、３のうち、発光器１が、最も上側に配置され、発光器３が、最も下側に配置され、発光器２が、発光器１と発光器３との間に配置される例を示す。
【００４６】
また、図３は、ロッドインテグレータ１１、１２、１３と液晶パネル５との間に、レンズ７が配置されている例を示す。
【００４７】
図３（Ａ）は、照射装置４が照射領域Ａ１に光を照射している状態を示す図である。図３（Ｂ）は、照射装置４が照射領域Ａ２に光を照射している状態を示す図である。図３（Ｃ）は、照射装置４が照射領域Ａ３に光を照射している状態を示す図である。
【００４８】
図３（Ａ）に示すように、発光器３が作動すると、照射領域Ａ１に光が照射される。すなわち、発光器３が作動され、その発光器３から光が射出されると、その光は、発光器３に対応して配置されている集光レンズ２３、ロッドインテグレータ１３、及びレンズ７を介して、照射領域Ａ１に照射される。このように、図３に示す例では、照射領域Ａ１に光を照射する場合、発光器３及び発光器３に対応して配置されるロッドインテグレータ１３が使用される。一方、照射領域Ａ１に光を照射する場合、発光器１、２の作動は停止される。すなわち、発光器１、２からの光の射出が遮断される。照射領域Ａ２、Ａ３には光が照射されない。
【００４９】
発光器３から射出された光は、集光レンズ２３を介して、ロッドインテグレータ１３の入射面１３Ａに入射する。ロッドインテグレータ１３は、発光器３からの光を射出面１３Ｂから射出する。ロッドインテグレータ１３の射出面１３Ｂから射出された光は、レンズ７を介して、照射領域Ａ１に配置された液晶パネル５の一部の領域に照射される。図３に示す例では、液晶パネル５の走査線Ｌ１〜Ｌ４が照射領域Ａ１に配置されるように、液晶パネル５と照射領域Ａ１との位置関係が定められる。
【００５０】
図３（Ｂ）に示すように、発光器２が作動すると、照射領域Ａ２に光が照射される。すなわち、発光器２が作動され、その発光器２から光が射出されると、その光は、発光器２に対応して配置されている集光レンズ２２、ロッドインテグレータ１２、及びレンズ７を介して、照射領域Ａ２に照射される。このように、図３に示す例では、照射領域Ａ２に光を照射する場合、発光器２及び発光器２に対応して配置されるロッドインテグレータ１２が使用される。一方、照射領域Ａ２に光を照射する場合、発光器１、３の作動は停止される。すなわち、発光器１、３からの光の射出が遮断される。照射領域Ａ１、Ａ３には光が照射されない。
【００５１】
発光器２から射出された光は、集光レンズ２２を介して、ロッドインテグレータ１２の入射面１２Ａに入射する。ロッドインテグレータ１２は、発光器２からの光を射出面１２Ｂから射出する。ロッドインテグレータ１２の射出面１２Ｂから射出された光は、レンズ７を介して、照射領域Ａ２に配置された液晶パネル５の一部の領域に照射される。図３に示す例では、液晶パネル５の走査線Ｌ５〜Ｌ８が照射領域Ａ２に配置されるように、液晶パネル５と照射領域Ａ２との位置関係が定められる。
【００５２】
図３（Ｃ）に示すように、発光器１が作動すると、照射領域Ａ３に光が照射される。すなわち、発光器１が作動され、その発光器１から光が射出されると、その光は、発光器１に対応して配置されている集光レンズ２１、ロッドインテグレータ１１、及びレンズ７を介して、照射領域Ａ３に照射される。このように、図３に示す例では、照射領域Ａ３に光を照射する場合、発光器１及び発光器１に対応して配置されるロッドインテグレータ１１が使用される。一方、照射領域Ａ３に光を照射する場合、発光器２、３の作動は停止される。すなわち、発光器２、３からの光の射出が遮断される。照射領域Ａ１、Ａ２には光が照射されない。
【００５３】
発光器１から射出された光は、集光レンズ２１を介して、ロッドインテグレータ１１の入射面１１Ａに入射する。ロッドインテグレータ１１は、発光器１からの光を射出面１１Ｂから射出する。ロッドインテグレータ１１の射出面１１Ｂから射出された光は、レンズ７を介して、照射領域Ａ３に配置された液晶パネル５の一部の領域に照射される。図３に示す例では、液晶パネル５の走査線Ｌ９〜Ｌ１２が照射領域Ａ３に配置されるように、液晶パネル５と照射領域Ａ３との位置関係が定められる。
【００５４】
以上のように、図３に示す例では、照射装置４は、照射領域Ａ１に光を照射するための発光器３及び発光器３に対応して配置されるロッドインテグレータ１３と、照射領域Ａ２に光を照射するための発光器２及び発光器２に対応して配置されるロッドインテグレータ１２と、照射領域Ａ３に光を照射するための発光器１及び発光器１に対応して配置されるロッドインテグレータ１１とを含み、発光器３、２、１の作動及び停止を実行して、照射領域Ａ１に対する光の照射と、照射領域Ａ２に対する光の照射と、照射領域Ａ３に対する光の照射とを切り替える。
【００５５】
図４は、ロッドインテグレータ１１、１２、１３と液晶パネル５との間に、レンズ７及びリレー光学系１６が配置されている例を示す。
【００５６】
図４（Ａ）は、照射装置４が照射領域Ａ１に光を照射している状態を示す図である。図４（Ｂ）は、照射装置４が照射領域Ａ２に光を照射している状態を示す図である。図４（Ｃ）は、照射装置４が照射領域Ａ３に光を照射している状態を示す図である。
【００５７】
図４（Ａ）に示すように、発光器１が作動すると、照射領域Ａ１に光が照射される。すなわち、発光器１が作動され、その発光器１から光が射出されると、その光は、発光器１に対応して配置されている集光レンズ２１、及びロッドインテグレータ１１を介して、レンズ７に照射される。レンズ７に照射された光は、リレー光学系１６を介して、照射領域Ａ１に照射される。照射領域Ａ１には走査線Ｌ１〜Ｌ４が配置され、それら走査線Ｌ１〜Ｌ４に光が照射される。このように、図４に示す例では、照射領域Ａ１に光を照射する場合、発光器１及び発光器１に対応して配置されるロッドインテグレータ１１が使用される。一方、照射領域Ａ１に光を照射する場合、発光器２、３の作動は停止される。すなわち、発光器２、３からの光の射出が遮断される。照射領域Ａ２、Ａ３には光が照射されない。
【００５８】
図４（Ｂ）に示すように、発光器２が作動すると、照射領域Ａ２に光が照射される。すなわち、発光器２が作動され、その発光器２から光が射出されると、その光は、発光器２に対応して配置されている集光レンズ２２、及びロッドインテグレータ１２を介して、レンズ７に照射される。レンズ７に照射された光は、リレー光学系１６を介して、照射領域Ａ２に照射される。照射領域Ａ２には走査線Ｌ５〜Ｌ８が配置され、それら走査線Ｌ５〜Ｌ８に光が照射される。このように、図４に示す例では、照射領域Ａ２に光を照射する場合、発光器２及び発光器２に対応して配置されるロッドインテグレータ１２が使用される。一方、照射領域Ａ２に光を照射する場合、発光器１、３の作動は停止される。すなわち、発光器１、３からの光の射出が遮断される。照射領域Ａ１、Ａ３には光が照射されない。
【００５９】
図４（Ｃ）に示すように、発光器３が作動すると、照射領域Ａ３に光が照射される。すなわち、発光器３が作動され、その発光器３から光が射出されると、その光は、発光器３に対応して配置されている集光レンズ２３、及びロッドインテグレータ１３を介して、レンズ７に照射される。レンズ７に照射された光は、リレー光学系１６を介して、照射領域Ａ３に照射される。照射領域Ａ３には走査線Ｌ９〜Ｌ１２が配置され、それら走査線Ｌ９〜Ｌ１２に光が照射される。このように、図４に示す例では、照射領域Ａ３に光を照射する場合、発光器３及び発光器３に対応して配置されるロッドインテグレータ１３が使用される。一方、照射領域Ａ３に光を照射する場合、発光器１、２の作動は停止される。すなわち、発光器１、２からの光の射出が遮断される。照射領域Ａ１、Ａ２には光が照射されない。
【００６０】
以上のように、図４に示す例では、照射装置４は、照射領域Ａ１に光を照射するための発光器１及び発光器１に対応して配置されるロッドインテグレータ１１と、照射領域Ａ２に光を照射するための発光器２及び発光器２に対応して配置されるロッドインテグレータ１２と、照射領域Ａ３に光を照射するための発光器３及び発光器３に対応して配置されるロッドインテグレータ１３とを含み、発光器１、２、３の作動及び停止を実行して、照射領域Ａ１に対する光の照射と、照射領域Ａ２に対する光の照射と、照射領域Ａ３に対する光の照射とを切り替える。
【００６１】
図５は、ロッドインテグレータ１１、１２、１３と液晶パネル５との間に、レンズ７、リレー光学系１６０、及びリレー光学系１６が配置されている例を示す。
【００６２】
図５（Ａ）は、照射装置４が照射領域Ａ１に光を照射している状態を示す図である。図５（Ｂ）は、照射装置４が照射領域Ａ２に光を照射している状態を示す図である。図５（Ｃ）は、照射装置４が照射領域Ａ３に光を照射している状態を示す図である。
【００６３】
図５（Ａ）に示すように、発光器３が作動すると、照射領域Ａ１に光が照射される。すなわち、発光器３が作動され、その発光器３から光が射出されると、その光は、発光器３に対応して配置されている集光レンズ２３、及びロッドインテグレータ１３を介して、レンズ７に照射される。レンズ７に照射された光は、リレー光学系１６０及びリレー光学系１６を介して、照射領域Ａ１に照射される。照射領域Ａ１には走査線Ｌ１〜Ｌ４が配置され、それら走査線Ｌ１〜Ｌ４に光が照射される。このように、図５に示す例では、照射領域Ａ１に光を照射する場合、発光器３及び発光器３に対応して配置されるロッドインテグレータ１３が使用される。一方、照射領域Ａ１に光を照射する場合、発光器１、２の作動は停止される。すなわち、発光器１、２からの光の射出が遮断される。照射領域Ａ２、Ａ３には光が照射されない。
【００６４】
図５（Ｂ）に示すように、発光器２が作動すると、照射領域Ａ２に光が照射される。すなわち、発光器２が作動され、その発光器２から光が射出されると、その光は、発光器２に対応して配置されている集光レンズ２２、及びロッドインテグレータ１２を介して、レンズ７に照射される。レンズ７に照射された光は、リレー光学系１６０及びリレー光学系１６を介して、照射領域Ａ２に照射される。照射領域Ａ２には走査線Ｌ５〜Ｌ８が配置され、それら走査線Ｌ５〜Ｌ８に光が照射される。このように、図５に示す例では、照射領域Ａ２に光を照射する場合、発光器２及び発光器２に対応して配置されるロッドインテグレータ１２が使用される。一方、照射領域Ａ２に光を照射する場合、発光器１、３の作動は停止される。すなわち、発光器１、３からの光の射出が遮断される。照射領域Ａ１、Ａ３には光が照射されない。
【００６５】
図５（Ｃ）に示すように、発光器１が作動すると、照射領域Ａ３に光が照射される。すなわち、発光器１が作動され、その発光器１から光が射出されると、その光は、発光器１に対応して配置されている集光レンズ２１、及びロッドインテグレータ１１を介して、レンズ７に照射される。レンズ７に照射された光は、リレー光学系１６０及びリレー光学系１６を介して、照射領域Ａ３に照射される。照射領域Ａ３には走査線Ｌ９〜Ｌ１２が配置され、それら走査線Ｌ９〜Ｌ１２に光が照射される。このように、図５に示す例では、照射領域Ａ３に光を照射する場合、発光器１及び発光器１に対応して配置されるロッドインテグレータ１３が使用される。一方、照射領域Ａ３に光を照射する場合、発光器２、３の作動は停止される。すなわち、発光器２、３からの光の射出が遮断される。照射領域Ａ１、Ａ２には光が照射されない。
【００６６】
以上のように、図５に示す例では、照射装置４は、照射領域Ａ１に光を照射するための発光器３及び発光器３に対応して配置されるロッドインテグレータ１１と、照射領域Ａ２に光を照射するための発光器２及び発光器２に対応して配置されるロッドインテグレータ１２と、照射領域Ａ３に光を照射するための発光器１及び発光器１に対応して配置されるロッドインテグレータ１１とを含み、発光器３、２、１の作動及び停止を実行して、照射領域Ａ１に対する光の照射と、照射領域Ａ２に対する光の照射と、照射領域Ａ３に対する光の照射とを切り替える。
【００６７】
図３において、ロッドインテグレータ１１、１２、１３の射出面１１Ｂ、１２Ｂ、１３Ｂと液晶パネル５の入射面とは、レンズ７に対して、光学的に共役な位置関係にある。図４において、ロッドインテグレータ１１、１２、１３の射出面１１Ｂ、１２Ｂ、１３Ｂと液晶パネル５の入射面とは、レンズ７及びリレー光学系１６に対して、光学的に共役な位置関係にある。図５において、ロッドインテグレータ１１、１２、１３の射出面１１Ｂ、１２Ｂ、１３Ｂと液晶パネル５の入射面とは、レンズ７、リレー光学系１６０、及びリレー光学系１６に対して、光学的に共役な位置関係にある。図３、図４、及び図５を参照して説明したように、ロッドインテグレータ１１、１２、１３の射出面１１Ｂ、１２Ｂ、１３Ｂと液晶パネル５との間に配置されるレンズ７、リレー光学系１６、及びリレー光学系１６０は、光が進む方向（光路）を変更する。具体的には、レンズ７、リレー光学系１６、及びリレー光学系１６０は、物体面側に配置された物体の像を反転させる。図３に示す例では、レンズ７によって、ロッドインテグレータ１１、１２、１３の射出面１１Ｂ、１２Ｂ、１３Ｂの像（光源像、２次光源像）は、１回反転する。図４に示す例では、レンズ７及びリレー光学系１６によって、ロッドインテグレータ１１、１２、１３の射出面１１Ｂ、１２Ｂ、１３Ｂの像（光源像、２次光源像）は、２回反転する。図５に示す例では、レンズ７、リレー光学系１６０、及びリレー光学系１６によって、ロッドインテグレータ１１、１２、１３の射出面１１Ｂ、１２Ｂ、１３Ｂの像（光源像、２次光源像）は、３回反転する。
【００６８】
図１に示す例では、ロッドインテグレータ１１、１２、１３と液晶パネル５Ｂとの間には、レンズ７が配置される。そのため、ロッドインテグレータ１１、１２、１３の射出面１１Ｂ、１２Ｂ、１３Ｂの像は、１回反転して、液晶パネル５Ｂに入射する。
【００６９】
また、ロッドインテグレータ１１、１２、１３と液晶パネル５Ｇとの間には、レンズ７が配置される。そのため、ロッドインテグレータ１１、１２、１３の射出面１１Ｂ、１２Ｂ、１３Ｂの像は、１回反転して、液晶パネル５Ｇに入射する。
【００７０】
また、ロッドインテグレータ１１、１２、１３と液晶パネル５Ｒとの間には、レンズ７及びリレー光学系１６が配置される。そのため、ロッドインテグレータ１１、１２、１３の射出面１１Ｂ、１２Ｂ、１３Ｂの像は、２回反転して、液晶パネル５Ｒに入射する。
【００７１】
したがって、図１において、液晶パネル５Ｇ、５Ｂの走査線Ｌ１〜Ｌ４を照射する場合、発光器３のレーザー装置３Ｇ、３Ｂから光が射出され、液晶パネル５Ｒの走査線Ｌ１〜Ｌ４を照射する場合、発光器１のレーザー装置１Ｒから光が射出される。また、液晶パネル５Ｒ、５Ｇ、５Ｂの走査線Ｌ５〜Ｌ８を照射する場合、発光器２のレーザー装置１Ｒ、１Ｇ、１Ｂから光が射出される。また、液晶パネル５Ｇ、５Ｂの走査線Ｌ９〜Ｌ１２を照射する場合、発光器１のレーザー装置１Ｇ、１Ｂから光が射出され、液晶パネル５Ｒの走査線Ｌ９〜Ｌ１２を照射する場合、発光器３のレーザー装置３Ｒから光が射出される。
【００７２】
また、本実施形態においては、ロッドインテグレータ１１、１２、１３の射出面１１Ｂ、１２Ｂ、１３Ｂ同士が接触し、入射面１１Ａ、１２Ａ、１３Ａ同士が離れ、側面１１Ｃ、１２Ｃ、１３Ｃ同士が離れている。これにより、例えばロッドインテグレータ１１の入射面１１Ａに入射した光の少なくとも一部が、ロッドインテグレータ１２、１３に入射してしまうことを抑制することができる。すなわち、ロッドインテグレータ１１を通過すべき光とロッドインテグレータ１２、１３を通過すべき光とが混ざってしまうことを抑制することができる。同様に、ロッドインテグレータ１２の入射面１２Ａに入射した光の少なくとも一部が、ロッドインテグレータ１１、１３に入射してしまうことを抑制することができる。ロッドインテグレータ１３の入射面１３Ａに入射した光の少なくとも一部が、ロッドインテグレータ１１、１２に入射してしまうことを抑制することができる。
【００７３】
本実施形態において、照射装置４は、液晶パネル５に書き込まれる画像データに応じて、液晶パネル５に対する光の照射領域を変更する。具体的には、照射装置４は、液晶パネル５に書き込まれるＬ画像（１―１、１−２、２−１、２−２）及びＲ画像（１―１、１−２、２−１、２−２）に応じて、照射領域を変更する。
【００７４】
本実施形態において、照射領域を変更するとは、照射領域Ａ１、Ａ２、Ａ３のうち、光を照射する照射領域を選択することを含む。例えば、照射装置４は、照射領域Ａ１、Ａ２（走査線Ｌ１〜Ｌ８）に同時に光を照射し、照射領域Ａ３（走査線Ｌ９〜Ｌ１２）に光を照射しないことができる。また、照射装置４は、照射領域Ａ２、Ａ３（走査線Ｌ５〜Ｌ１２）に同時に光を照射し、照射領域Ａ１（走査線Ｌ１〜Ｌ４）に光を照射しないことができる。また、照射装置４は、照射領域Ａ１、Ａ２、Ａ３（走査線Ｌ１〜Ｌ１２）に同時に光を照射することができる。
【００７５】
以下、図６〜図１１を参照して、液晶パネル５に書き込まれる画像データと、光が照射される照射領域との関係について説明する。なお、図６〜図１１における上段の図は、液晶パネル５に画像データが書き込まれている状態を模式的に示す図であり、下段の図は、上段の図に示す状態において光が照射される照射領域を模式的に示す図である。
【００７６】
図６（Ａ）は、液晶パネル５にＬ画像１−１が書き込まれた状態を示す。この場合、照射領域Ａ１、Ａ２、Ａ３に光が照射される。すなわち、液晶パネル５の走査線Ｌ１〜Ｌ１２に光が照射される。図６（Ｂ）、図６（Ｃ）は、Ｌ画像１−１からＬ画像１−２に書き換えている途中の状態を示す。この状態においても、照射領域Ａ１、Ａ２、Ａ３に光が照射される。  図６（Ｄ）は、液晶パネル５にＬ画像１−２が書き込まれた状態を示す。この状態においても、照射領域Ａ１、Ａ２、Ａ３に光が照射される。
【００７７】
図６（Ａ）〜図６（Ｄ）に示す状態は、同一の画像データ（Ｌ画像１−１、１−２）を書き込んでいる状態である。したがって、照射領域Ａ１、Ａ２、Ａ３に光を照射して、液晶パネル５の全域（走査線Ｌ１〜Ｌ１２）に光を照射しても、右眼用画像が左眼に映り込み、左眼用画像が右眼に映り込む現象、所謂、クロストーク現象は、発生しない。
【００７８】
図７（Ａ）、図７（Ｂ）は、Ｌ画像１−２からＲ画像１−１に書き換えている途中の状態を示す。図７（Ａ）に示す状態、すなわち、走査線Ｌ１〜Ｌ４にＲ画像１−１が書き込まれている状態では、照射領域Ａ３に光が照射され、照射領域Ａ１、Ａ２に光は照射されない。すなわち、Ｒ画像１−１が書き込まれている液晶パネル５の走査線Ｌ１〜Ｌ４には光が照射されず、Ｌ画像１−２が書き込まれている液晶パネル５の一部の領域（走査線Ｌ８〜Ｌ１２）のみに光が照射される。また、図７（Ｂ）に示す状態、すなわち、走査線Ｌ１〜Ｌ８にＲ画像１−１が書き込まれている状態では、照射領域Ａ１、Ａ２に光が照射され、照射領域Ａ３に光は照射されない。すなわち、Ｒ画像１−１が書き込まれている液晶パネル５の走査線Ｌ１〜Ｌ８のみに光が照射され、Ｌ画像１−２が書き込まれている液晶パネル５の走査線Ｌ９〜Ｌ１２には光が照射されない。
【００７９】
図７（Ａ）、図７（Ｂ）に示す状態は、液晶パネル５に異なる画像データ（Ｌ画像１−２、Ｒ画像１−１）が書き込こまれている状態である。したがって、Ｌ画像１−２及びＲ画像１−１のいずれか一方のみに光を照射することによって、クロストーク現象の発生が抑制される。
【００８０】
図７（Ｃ）は、液晶パネル５にＲ画像１−１が書き込まれた状態を示す。この場合、照射領域Ａ１、Ａ２、Ａ３に光が照射される。すなわち、液晶パネル５の全域（走査線Ｌ１〜Ｌ１２）に光が照射される。図７（Ｄ）、図８（Ａ）は、Ｒ画像１−１からＲ画像１−２に書き換えている途中の状態を示す。この状態においても、照射領域Ａ１、Ａ２、Ａ３に光が照射される。  図７（Ｄ）、図８（Ａ）に示す状態は、液晶パネル５に同一の画像データ（Ｒ画像１−１、１−２）が書き込こまれている状態である。したがって、液晶パネル５の全域（走査線Ｌ１〜Ｌ１２）に光を照射しても、クロストーク現象は発生しない。
【００８１】
図８（Ｂ）は、液晶パネル５にＲ画像１−２が書き込まれた状態を示す。この場合、照射領域Ａ１、Ａ２、Ａ３に光が照射される。すなわち、液晶パネル５の全域（走査線Ｌ１〜Ｌ１２）に光が照射される。図８（Ｃ）、図８（Ｄ）は、Ｒ画像１−２からＬ画像２−１に書き換えている途中の状態を示す。図８（Ｃ）に示す状態、すなわち、走査線Ｌ１〜Ｌ４にＬ画像２−１が書き込まれている状態では、照射領域Ａ３に光が照射され、照射領域Ａ１、Ａ２に光は照射されない。すなわち、Ｌ画像２−１が書き込まれている液晶パネル５の走査線Ｌ１〜Ｌ４には光が照射されず、Ｒ画像１−２が書き込まれている液晶パネル５の一部の領域（走査線Ｌ８〜Ｌ１２）のみに光が照射される。また、図８（Ｄ）に示す状態、すなわち、走査線Ｌ１〜Ｌ８にＬ画像２−１が書き込まれている状態では、照射領域Ａ１、Ａ２に光が照射され、照射領域Ａ３に光は照射されない。すなわち、Ｌ画像２−１が書き込まれている液晶パネル５の走査線Ｌ１〜Ｌ８のみに光が照射され、Ｒ画像１−２が書き込まれている液晶パネル５の走査線Ｌ９〜Ｌ１２には光が照射されない。
【００８２】
図８（Ｃ）、図８（Ｄ）に示す状態は、液晶パネル５に異なる画像データ（Ｒ画像１−２、Ｌ画像２−１）が書き込まれている状態である。したがって、Ｒ画像１−２及びＬ画像２−１のいずれか一方のみに光を照射することによって、クロストーク現象の発生が抑制される。
【００８３】
図９（Ａ）は、液晶パネル５にＬ画像２−１が書き込まれた状態を示す。この場合、照射領域Ａ１、Ａ２、Ａ３に光が照射される。すなわち、液晶パネル５の全域（走査線Ｌ１〜Ｌ１２）に光が照射される。図９（Ｂ）、図９（Ｃ）は、Ｌ画像２−１からＬ画像２−２に書き換えている途中の状態を示す。この状態においても、照射領域Ａ１、Ａ２、Ａ３に光が照射される。図９（Ｂ）、図９（Ｃ）に示す状態は、液晶パネル５に同一の画像データ（Ｌ画像２−１、２−２）が書き込こまれている状態である。したがって、液晶パネル５の全域（走査線Ｌ１〜Ｌ１２）に光を照射しても、クロストーク現象は発生しない。
【００８４】
図９（Ｄ）は、液晶パネル５にＬ画像２−２が書き込まれた状態を示す。この状態において、照射領域Ａ１、Ａ２、Ａ３に光が照射される。
【００８５】
図１０（Ａ）、図１０（Ｂ）は、Ｌ画像２−２からＲ画像２−１に書き換えている途中の状態を示す。図１０（Ａ）に示す状態、すなわち、走査線Ｌ１〜Ｌ４にＲ画像２−１が書き込まれている状態では、照射領域Ａ３に光が照射され、照射領域Ａ１、Ａ２に光は照射されない。すなわち、Ｒ画像２−１が書き込まれている液晶パネル５の走査線Ｌ１〜Ｌ４には光が照射されず、Ｌ画像２−１が書き込まれている液晶パネル５の一部の領域（走査線Ｌ８〜Ｌ１２）のみに光が照射される。また、図１０（Ｂ）に示す状態、すなわち、走査線Ｌ１〜Ｌ８にＲ画像２−１が書き込まれている状態では、照射領域Ａ１、Ａ２に光が照射され、照射領域Ａ３に光は照射されない。すなわち、Ｒ画像２−１が書き込まれている液晶パネル５の走査線Ｌ１〜Ｌ８のみに光が照射され、Ｌ画像２−２が書き込まれている液晶パネル５の走査線Ｌ９〜Ｌ１２には光が照射されない。
【００８６】
図１０（Ａ）、図１０（Ｂ）に示す状態は、液晶パネル５に異なる画像データ（Ｌ画像２−２、Ｒ画像２−１）が書き込こまれている状態である。したがって、Ｌ画像２−２及びＲ画像２−１のいずれか一方のみに光を照射することによって、クロストーク現象の発生が抑制される。
【００８７】
図１０（Ｃ）は、液晶パネル５にＲ画像２−１が書き込まれた状態を示す。この場合、照射領域Ａ１、Ａ２、Ａ３に光が照射される。すなわち、液晶パネル５の全域（走査線Ｌ１〜Ｌ１２）に光が照射される。図１０（Ｄ）、図１１（Ａ）は、Ｒ画像２−１からＲ画像２−２に書き換えている途中の状態を示す。この状態においても、照射領域Ａ１、Ａ２、Ａ３に光が照射される。図１０（Ｄ）、図１１（Ａ）に示す状態は、液晶パネル５に同一の画像データ（Ｒ画像２−１、２−２）が書き込こまれている状態である。したがって、液晶パネル５の全域（走査線Ｌ１〜Ｌ１２）に光を照射しても、クロストーク現象は発生しない。
【００８８】
図１１（Ｂ）は、液晶パネル５にＲ画像２−２が書き込まれた状態を示す。この場合、照射領域Ａ１、Ａ２、Ａ３に光が照射される。すなわち、液晶パネル５の全域（走査線Ｌ１〜Ｌ１２）に光が照射される。図１１（Ｃ）、図１１（Ｄ）は、Ｒ画像２−２からＬ画像１−１に書き換えている途中の状態を示す。図１１（Ｃ）に示す状態、すなわち、走査線Ｌ１〜Ｌ４にＬ画像１−１が書き込まれている状態では、照射領域Ａ３に光が照射され、照射領域Ａ１、Ａ２に光は照射されない。すなわち、Ｌ画像１−１が書き込まれている液晶パネル５の走査線Ｌ１〜Ｌ４には光が照射されず、Ｒ画像２−２が書き込まれている液晶パネル５の一部の領域（走査線Ｌ８〜Ｌ１２）のみに光が照射される。また、図１１（Ｄ）に示す状態、すなわち、走査線Ｌ１〜Ｌ８にＬ画像１−１が書き込まれている状態では、照射領域Ａ１、Ａ２に光が照射され、照射領域Ａ３に光は照射されない。すなわち、Ｌ画像１−１が書き込まれている液晶パネル５の走査線Ｌ１〜Ｌ８のみに光が照射され、Ｒ画像２−２が書き込まれている液晶パネル５の走査線Ｌ９〜Ｌ１２には光が照射されない。
【００８９】
図１１（Ｃ）、図１１（Ｄ）に示す状態は、液晶パネル５に異なる画像データ（Ｒ画像２−２、Ｌ画像１−１）が書き込まれている状態である。したがって、Ｒ画像２−２及びＬ画像１−１のいずれか一方のみに光を照射することによって、クロストーク現象の発生が抑制される。
【００９０】
以上説明したように、本実施形態によれば、液晶パネル５に異なる画像（画像データ）が線順次に書き込まれ、その液晶パネル５に異なる２つの画像が混在している状態において、その異なる２つの画像のうちいずれか一方のみの画像に光を照射するようにしたので、クロストーク現象の発生を抑制しつつ、画像の明るさが低下することを抑制することができる。
【００９１】
また、本実施形態によれば、ロッドインテグレータ１１、１２、１３を用いて液晶パネル５を重畳照明するため、均一な照度分布で液晶パネル５を照明することができる。したがって、画質の低下を抑制できる。
【００９２】
＜第２実施形態＞
次に、第２実施形態について説明する。図１２は、第２実施形態に係るプロジェクターＰＪ２の一例を示す図である。図１２（Ａ）は、プロジェクターＰＪ２の上面図、図１２（Ｂ）は、側面図である。
【００９３】
図１２に示す例では、ロッドインテグレータ１１、１２、１３と液晶パネル５Ｂとの間には、レンズ７が配置される。そのため、ロッドインテグレータ１１、１２、１３の射出面１１Ｂ、１２Ｂ、１３Ｂの像は、１回反転して、液晶パネル５Ｂに入射する。
【００９４】
また、ロッドインテグレータ１１、１２、１３と液晶パネル５Ｇとの間には、レンズ７が配置される。そのため、ロッドインテグレータ１１、１２、１３の射出面１１Ｂ、１２Ｂ、１３Ｂの像は、１回反転して、液晶パネル５Ｇに入射する。
【００９５】
また、ロッドインテグレータ１１、１２、１３と液晶パネル５Ｒとの間には、レンズ７、リレー光学系１６０、及びリレー光学系１６が配置される。すなわち、図５を参照して説明した光学系と同様である。そのため、ロッドインテグレータ１１、１２、１３の射出面１１Ｂ、１２Ｂ、１３Ｂの像は、３回反転して、液晶パネル５Ｒに入射する。したがって、液晶パネル５Ｒ、５Ｇ、５Ｂの走査線Ｌ１〜Ｌ４を照射する場合、発光器３のレーザー装置３Ｒ、３Ｇ、３Ｂから光が射出される。また、液晶パネル５Ｒ、５Ｇ、５Ｂの走査線Ｌ５〜Ｌ８を照射する場合、発光器２のレーザー装置２Ｒ、２Ｇ、２Ｂから光が射出される。また、液晶パネル５Ｒ、５Ｇ、５Ｂの走査線Ｌ９〜Ｌ１２を照射する場合、発光器１のレーザー装置１Ｒ、１Ｇ、１Ｂから光が射出される。
【００９６】
なお、上述の第１、第２実施形態においては、例えばロッドインテグレータ１１の入射面１１Ａに入射した光が、ロッドインテグレータ１２、１３に入射することを抑制するために、側面１１Ｃ、１２Ｃ、１３Ｃ同士及び入射面１１Ａ、１２Ａ、１３Ａ同士を離すこととした。図１３に示すように、側面１１Ｃ、１２Ｃ、１３Ｃに光を反射する反射膜１１Ｆ、１２Ｆ、１３Ｆを配置してもよい。反射膜１１Ｆ、１２Ｆ、１３Ｆは、例えばアルミニウムの膜（アルミニウムミラー）でもよい。なお、反射膜１１Ｆ、１２Ｆ、１３Ｆは、蒸着法で形成可能である。なお、反射膜１１Ｆ、１２Ｆ、１３Ｆは、銀の膜でもよいし、アルミニウム及び銀とは異なる金属の膜でもよい。また、反射膜１１Ｆ、１２Ｆ、１３Ｆが、多層膜（光学機能膜）でもよい。
【００９７】
これにより、例えば入射面１１Ａに入射し、ロッドインテグレータ１１を通過する光が、側面１１Ｃに入射しても、反射膜１１Ｆで反射するため、側面１１Ｃから射出されることが抑制される。すなわち、入射面１１Ａから入射した光は、側面１１Ｃから射出されずに、射出面１１Ｂから射出される。したがって、例えばロッドインテグレータ１１の入射面１１Ａに入射した光が、ロッドインテグレータ１２、１３に入射することが抑制される。同様に、ロッドインテグレータ１２の入射面１２Ａに入射した光は、反射膜１２Ｆで反射することによって、ロッドインテグレータ１１、１３に入射することが抑制される。同様に、ロッドインテグレータ１３の入射面１３Ａに入射した光は、反射膜１３Ｆで反射することによって、ロッドインテグレータ１１、１２に入射することが抑制される。
【００９８】
なお、反射膜１１Ｆ、１２Ｆ、１３Ｆを設けることにより、図１３に示すように、側面１１Ｃ、１２Ｃ、１３Ｃ同士が接触していても、例えばロッドインテグレータ１１を通過する光が、ロッドインテグレータ１２、１３に入射することが抑制される。また、図１３に示す例では、入射面１１Ａ、１２Ａ、１３Ａの面積を大きくすることができる。したがって、例えば発光器１、２、３のレーザー装置の数を増やすことができ、画像を明るくすることができる。また、調整の簡易性にも優れ、コスト面で有利である。
【００９９】
なお、反射膜１１Ｆ、１２Ｆ、１３Ｆを設けるとともに、側面１１Ｃ、１２Ｃ、１３Ｃ同士を離してもよい。
【０１００】
なお、上述の各実施形態においては、プロジェクターＰＪ１、ＰＪ２が、右眼用画像及び左眼用画像を投射して、画像を立体的に表示する場合を例にして説明したが、画像を立体的に表示しなくてもよい。換言すれば、プロジェクターＰＪ１、ＰＪ２が、右眼用画像及び左眼用画像を投射しなくてもよい。書き込まれる画像データに応じて液晶パネル５に対する光の照射領域を変更して、液晶パネル５のうち、光を照射すべき領域にのみ光を照射し、光を照射すべきでない領域には光を照射しないようにすることによって、画像の明るさの低下を抑制し、良好なエネルギー利用効率で所望の画質を得ることができる。また、書き込まれる画像データに応じて液晶パネル５に対する光の量を照射領域毎に低減することによって、画像の明るさの低下を抑制し、良好なエネルギー利用効率で所望の画質を得ることができる。例えば、照射領域Ａ１が白（明るさ１００％）、照射領域Ａ２が灰色（明るさ５０％）、照射領域Ａ３が黒（明るさ０％）のとき、照射領域Ａ１に対応する発光器の出力を最大、照射領域Ａ２に対応する発光器の出力を半減、照射領域Ａ３に対応する発光器の出力を最小にすることで、良好なエネルギー利用効率で所望の画質を得ることができる。
【０１０１】
なお、上述の各実施形態において、プロジェクターＰＪ１、ＰＪ２が、光変調素子を１つ有する単板式でもよいし、２つ有する二板式でもよい。
【０１０２】
なお、上述の各実施形態においては、発光器１、２、３がレーザー装置を含むこととしたが、例えばＬＥＤ等、他の固体光源を含んでもよい。
【０１０３】
なお、上述の各実施形態においては、光変調素子が透過型光変調素子である液晶パネルであることとしたが、反射型光変調素子でもよい。また、液晶パネルのような偏光方式光変調素子でなくてもよく、ＤＭＤのようなＭＥＭＳ方式光変調素子でもよい。また、上述の各実施形態において、照射装置４が偏光変換素子を備えていてもよい。偏光変換素子を設けることによって、照射装置４から射出される光の偏光状態を揃えることができ、画像の明るさの向上及びエネルギー利用効率の向上を図ることができる。
【０１０４】
なお、上述の各実施形態においては、照射領域の分割数が３つであり、オプティカルロッドインテグレータの一例としてのロッドインテグレータが３つであることとしたが、照射領域の分割数は２つでも、４つ以上でもよい。照射領域の分割数を少なくして部品数を減らすことで、構成を簡素化するとともにコストを低減することができる。一方、照射領域の分割数を多くして照射領域の選択支を増やすことで、多くの画像データに対応した領域照明走査が可能になり、エネルギー利用効率の向上を図ることができる。
【符号の説明】
【０１０５】
１…発光器、２…発光器、３…発光器、４…照射装置、５（５Ｒ、５Ｇ、５Ｂ）…光変調素子、６…投射光学系、１１…ロッドインテグレータ、１１Ａ…入射面、１１Ｂ…射出面、１１Ｃ…側面、１２…ロッドインテグレータ、１２Ａ…入射面、１２Ｂ…射出面、１２Ｃ…側面、１３…ロッドインテグレータ、１３Ａ…入射面、１３Ｂ…射出面、１３Ｃ…側面
【図１】
2012247525.tif 000003
【図２】
2012247525.tif 000004
【図３】
2012247525.tif 000005
【図４】
2012247525.tif 000006
【図５】
2012247525.tif 000007
【図６】
2012247525.tif 000008
【図７】
2012247525.tif 000009
【図８】
2012247525.tif 000010
【図９】
2012247525.tif 000011
【図１０】
2012247525.tif 000012
【図１１】
2012247525.tif 000013
【図１２】
2012247525.tif 000014
【図１３】
2012247525.tif 000015